(57)【要約】【課題】従来のボール止水栓に最小の改変を加えるのみで、ハンドルを外した状態でスピンドルを操作されても、止水ボールが所定の回転範囲を外れた位置に回転させられることを防止できる、ボール式止水栓を提供する【解決手段】逆止弁付きボール止水栓１において、上側空所９には逆止ボール１３が配置されている。下側空所１１には、Ｌ字型の流路２４が内部に形成された止水ボール２３が収納され、ボール押さえ２７により抜け止めされている。止水ボールには、スピンドル挿入部１２に挿通されたスピンドル３１がその連結部３１ｂにおいて一体回転可能に連結されている。スピンドルは、その大径部３１ａが下側空所と挿入部との境に形成された肩部１２ａに当接して、抜け止めされている。大径部と止水ボールとの間で、板状の回転規制部材５５がスピンドルに一体回転可能に取り付けられている。回転規制部材は、その第１と第４の直線部５７、６０がボール押えの内端面２７ｃに当接し、ボールを通水位置と止水位置とに位置決めし、同時にボールの回転をその範囲に規制する。【選択図】  図２
2005061515.tif 000002
【特許請求の範囲】
【請求項１】
止水栓本体と、該本体内に形成されたボール収納室に回転可能に収受され、内部に貫通流路が形成された止水ボールと、前記止水ボール収納室の側方へ延びて形成された挿通孔に挿通され、一端側において前記止水ボールに一体回転可能に取付けられたスピンドルと、該スピンドルの他端側に着脱可能に取付けられるハンドルとを備え、前記スピンドルの外方への抜けを防止する抜け止め機構を備えたボール止水栓において、前記ボール収納室内に位置して前記スピンドルに一体回転可能に取付けられた回転規制部材を備え、該回転規制部材が前記ボール収納室の所定の個所に当接することにより、前記止水ボールが通水位置あるいは止水位置に位置決めされ、且つその両位置間に前記止水ボールの回転が制限されることを特徴とする、ボール止水栓。
【請求項２】
請求項１記載のボール止水栓において、前記スピンドルは、前記挿通孔の内側端部に形成される肩部に当接して前記スピンドルの抜けを防止する径大部を備え、前記回転規制部材は、前記径大部と前記止水ボールとの間に位置して前記スピンドルに取付けられる、板状の部材であることを特徴とする、ボール止水栓。
【請求項３】
請求項２記載のボール止水栓において、前記本体は、前記止水ボールを前記ボール収納室へ挿入することを許容する開口と、該開口を閉鎖する蓋部材を備え、前記開口は前記スピンドルの軸心と平行となる平面に形成され、前記回転規制部材は、前記蓋部材に当接することにより前記止水ボールの回転を規制するすることを特徴とする、ボール止水栓。
【請求項４】
請求項３記載のボール止水栓において、前記開口にはメネジが刻設され、前記蓋部材は、その外周に前記メネジに螺合するオネジが刻設され、前記回転規制部材は前記ボール収納室内へ進入した前記蓋部材の内端面に当接することを特徴とする、ボール止水栓。
【請求項５】
請求項４記載のボール止水栓において、前記蓋部材は内端部が開口した筒状に形成され、前記内端部には、前記ボールを支持するボールシートが配設されていることを特徴とする、ボール止水栓。
【発明の詳細な説明】
【技術分野】
【０００１】
本発明はボール止水栓に関し、さらに詳細に言えば、ボールを操作するハンドルが外された状態で外部から操作された場合でも、ボールが所定の回転範囲外へ回転させられることを防止できるように改良したボール止水栓に関する。本発明は、それに限定されるものではないが、内部の流路が例えばＬ字型に形成されているボールを使用するボール止水栓に使用して特に好適である。
【背景技術】
【０００２】
従来から、内部に流路を形成したボールを使用したボール止水栓が使用されている。その中で、例えば自重を利用したボール式逆止弁をも備えた止水栓などでは、内部の流路がＬ字型に形成されている。図１を参照してその一例を説明する。
【０００３】
逆止弁付き止水栓１は本体３を備え、本体３の中には、中央に連通口７を画成する内方フランジ５により仕切られた上下二つの空所９、１１が形成されている。上側空所９には、逆止ボール１３が収納されている。即ち、符号１５は籠であり、上下の円環部１６、１７を円周方向所定の間隔で設けられたリブ１８で繋いで構成されている。そしてその下側円環部１７には、リング状の逆止パッキン１９が図示の通り取付けられている。この状態で籠１５は内方フランジ５の上に配置され、上側空所９の、内方フランジ５の上に形成された円筒部９ａと、そこから所定の距離だけ上側に離れて形成された円筒部９ｂにそれぞれ、下側円環部１７、上側円環部１６が嵌って位置決めされている。この籠１５内にボール１３が収納され、これらは本体２の上側開口９ｃ即ち上側空所９の上側部に形成された開口９ｃから上側空所９内に配置され、開口９ｃに取付けられるキャップ２１によりボール１３、籠１５共々抜け止めされている。逆止ボール１３は逆止パッキン１９に離着座するようになっている。
【０００４】
下側の空所１１には、上下のボールシート２５ａ、ｂにより回動可能に受止められた止水ボール２３が収受されている。上側のボールシート２５ａは、内方フランジ５の下側の円筒部１１ａに配置され、下側のボールシート２５ｂは、ボール押さえ２７に取付けられている。すなわち、ボール押え２７は、図で上側が開口し、下側が閉じた短い筒状に形成され、内周側には軸方向途中の位置に内方フランジ２９が形成され、外周側には軸方向で内方フランジ２９より下側の位置で外方フランジ３０が形成されている。そしてその外周には外方フランジ３０より上の部分入オネジ２７ａが形成され、このオネジ２７ａが本体３の下側即ち下側空所１１の下側に形成された開口１１ｂのメネジに螺合することにより本体３に取付けられる。そしてボールシート２５ｂは内方フランジ２９の上側に配置されている。開口１１ｂの径は止水ボール２３が通過できるだけの大きさとなっている。
【０００５】
止水ボール２３にはL字型の流路２４が形成されている。そして止水ボール２３には、図示のように下側の空所１１に連通してその側方へ延びて形成された筒状のスピンドル挿入部１２に挿通されたスピンドル３１が、その先端部角形の連結部３１ｂの先端がボール２３の外表面に形成された溝２３ａに嵌り、一体回転可能に取付けられる。そしてそのスピンドル３１には、取り付けボルト３５を用いてハンドル３３が取り付けられている。なおハンドル３３は、金属製の軸部３４ａをプラスチック製のハンドル部３４ｂにインサートモールドして作られている。スピンドル３１は、止水ボール２３への連結部３１ｂに近い位置に形成された大径部３１ａが、下側空所１１とスピンドル挿入部１２との連通部に形成された肩部１２ａにより、外側へは抜けないようになっている。
【０００６】
スピンドル３１、ボール２３の取り付けは次のように行なう。すなわち、ボール押え２７を外した状態でスピンドル３１を開口１１ｂから下の空所１１内へ入れ、挿入部１２に挿入する。そしてハンドル３３をボルト３４で取り付ける。そして図に示す状態から図中矢印方向に９０度回転した状態で、止水ボール２３を開口１１ｂから空所１１内へ入れる。その際、ボール２３は図に示す状態からスピンドル３１の軸回りに９０度回転した状態で入れる。そして、ボール２３の外周に形成された溝２３ａにスピンドル３１先端の角形の連結部３１ｂを嵌め、一体回転するように取り付ける。そしてボール押え２７を取り付ける。
【０００７】
図示の状態は通水状態であり、下流側の蛇口などが開かれると、水は図の紙面背面側から止水ボール２３の流路２４の水平な第１の部分２４ａから垂直な第２の部分２４ｂヘ流れ、逆止ボール１３を押上げて上の空所９に入り、紙面手前側に形成されている流出口へと流れる。図示の状態からハンドル３３を図中矢印のようにスピンドル３１の軸線回り右回りに９０度回すと、止水ボール２３が回転して連通口５を閉じて上下の室９、１１の間の連通が遮断されることとなる。
【０００８】
ここで、ハンドル３３即ち止水ボール２３を中途半端な位置でなく、確実に９０度回転させて通水状態と止水状態とに確実に位置させるために、ハンドル３３の位置決めを行なう構成が採用されている。従来その構成は、本体３のスピンドル挿入部１２の端部を一部突出させて突出部１２ｂを形成し、それに対応してハンドル３３に、円周方向所定の範囲で延びる溝３３ａを形成し、その溝３３ａの両側端部を、突出部１２ｂの対応する端部に当接させることにより、ハンドル３３の回転を規制するようにしていた。
【０００９】
ところで、この止水栓１を勝手に操作されないようにするために、水道管理者においてこのハンドル３３を外してしまう場合がある。しかしこの場合でも工具を使用するなどすれば、スピンドル３１、そして止水ボール２３を回転させることが可能である。そして、例えば図示の状態から１８０度回転させた状態でも止水されており、いたずらなどでこの様態に回されてしまっていた場合に、それに気付かずにハンドル１５を取付けてしまうと、ハンドルを回転させても通水状態にはできない。そのため、止水ボール１１を所定の止水位置に戻してからハンドル１５を付け直すなどの作業を行なわなければならない。なお、上述した従来例は公知であるが、これを開示した文献は出願人において所持しておらず引用できないので、上記の通り詳述した。
【発明の開示】
【発明が解決しようとする課題】
【００１０】
本願発明は上記従来に問題点に鑑みなされたものであり、従来のものに最小の改変を加えるのみで、止水ボールが所定の回転範囲を外れた位置に回転することを防止できる、ボール式止水栓を提供することをその課題とする。
【課題を解決するための手段】
【００１１】
上記課題を解決するために本願発明のボール止水栓では、止水栓本体と、該本体内に形成されたボール収納室に回転可能に収受され、内部に貫通流路が形成された止水ボールと、この止水ボール収納室の側方へ延びて形成された挿通孔に挿通され、一端側において止水ボールに一体回転可能に取付けられたスピンドルと、該スピンドルの他端側に着脱可能に取付けられるハンドルとを備え、そのスピンドルが外方へ抜けるのを防止する抜け止め機構を備えたボール止水栓に、ボール収納室内に位置してスピンドルに一体回転可能に取付けられた回転規制部材を設けた。この回転規制部材が、ボール収納室の所定の個所に当接することにより、止水ボールが通水位置あるいは止水位置に位置決めされ、且つその両位置間に止水ボールの回転が制限される。
【００１２】
さらに具体的な実施の形態では、そのスピンドルは、挿通孔の内側端部に形成される肩部に当接してスピンドルの抜けを防止する径大部を備えており、回転規制部材は板状の部材であり、スピンドルの径大部と止水ボールとの間に位置してスピンドルに取付けられる。
【００１３】
さらに他の実施の形態では、本体は、止水ボールをボール収納室へ挿入することを許容する開口と、該開口を閉鎖する蓋部材を備えており、この開口はスピンドルの軸心と平行となる平面に形成され、回転規制部材は、開口に取付けられた蓋部材に当接することにより止水ボールの回転を規制するようになっている。
【００１４】
さらに他の実施の形態では、開口にはメネジが刻設され、蓋部材は、そのメネジに螺合するオネジが刻設され、回転規制部材はボール収納室内へ進入した蓋部材の内端面に当接するようになっている。
【００１５】
さらに他の実施の形態では、蓋部材は内端部が開口した筒状に形成され、この内端部には、ボールを支持するボールシートが配設されている。
【発明の効果】
【００１６】
本発明においては、止水栓の内部に、止水ボールを通水位置及び止水位置に位置決めし、且つそれら両位置の間にボールの回転を制限する構成を設けたので、ハンドルを外した状態において外部からスピンドルを操作しても、ボールが所定の回転範囲外へ回転させられることが確実に防止でき、止水栓の管理上きわめて好都合である。しかも、この構成は、従来のボール止水栓に最小限の改変を加えることにより得ることができ、製造上においてもきわめて技術的効果が大である。
【発明を実施するための最良の形態】
【００１７】
以下、図面を参照して本発明の実施の形態について説明する。図２は本発明の具体的実施の形態に係る逆止弁付き止水栓５１を示す図で、図1に対応する断面図であり、図３は図２のＡ−Ａ線断面図である。この止水栓５１は、図1に示した従来の止水栓１に最小限の改変を加えることにより得られるものであり、その構成の大半は図1の従来例と同じである。従って、図1の従来例でのそれと同じ構成部材に付いては同じ参照番号を付して示し、その詳細な説明は省略する。
【００１８】
止水栓５１は、従来例と同じ本体３、籠１５と逆止ボール１３、止水ボール２３、ボール押え２７を備えている。そして止水ボール２３に連結されるスピンドル３１、及びそれに取り付けられるハンドル３３も同じでよい。そして異なる点は、スピンドル３１の先端の角形の連結部３１ｂに、大径部３１ａと止水ボール２３との間に位置して取り付けられた回転規制部材５５を備えている点である。
【００１９】
回転規制部材５５は、図４に示されるように板状の部材である。その中央部にはスピンドル３１の連結部３１ｂの断面形状に対応した略長方形の取付け孔５６が形成され、この孔５６でスピンドル３１の連結部３１ｂに取付けられることにより、スピンドル３１、従って止水ボール２３と一体に回転することになる。
本実施の形態での回転規制部材５５は中心に関して対称に形成されている。そして図４において孔５６の水平な縁部５６ａ、ｂに対して平行に伸びて形成されている直線状の第１及び第２の直線部５７、５８を備えている。即ち、第１と第２の直線部５７、５８は１８０度隔てて形成されており、図４の状態で第１直線部５７は孔５６の短手方向に延びる中心線ｌの右側で、第２直線部５８は左側に形成されている。
【００２０】
さらに、第１及び第２の直線部５７、５８に直交する方向に第３及び第４の直線部５９、６０が、図示のように、中心線ｌに直交する方向の中心線ｍの下側及び上側に形成されている。中心線ｍから第１、第２の直線部５７、５８までの距離と、中心線ｌから第３、第４の直線部５９、６０までの距離は等しくなっている。そして、第１と第３の直線部５７、５９、第２と第４の直線部５８、６０が交差する位置において短い斜めのカット部６１、６２を備えている。第１と第４の直線部５７、６０、第２と第３の直線部５８、５９との間は、直線部５７、５８、５９、６０と中心線ｍ、ｌとの距離より短い半径の円弧部６３、６４で繋がれている。
【００２１】
回転規制部材５５は前述のとおりスピンドル３１の大径部３１ａとボール２３との間でスピンドル３１に取り付けられるが、ボール２３の中心から規制部材５５までの距離が、ボール押え２７の内端面２７ｃの半径に略等しく、図２に示されるように、この状態でこの回転規制部材５５は、ボール押え２７の下側空所１１内へ入り込んだ内端面すなわち、開口している側の端面２７ｃの上側に位置している。そして、図２の通水状態では、図３に示されるように第１の直線部５７がそのボール押え２７の内側端面２７ｃ上に当接している。従ってボール２３は図３においてこれ以上時計方向へは回動できない。これが通水状態である。
【００２２】
図５は図３の状態からボール２３を反時計方向へ９０度回転させた状態であり、回転規制部材５５の第４の直線部６０がボール押え２７の内側端面２７ｃ上に当接しており、これ以上反時計方向へは回動できない。これが止水状態である。
この実施の形態では、上述の通り回転規制部材５５の回転規制部となる第１と第４の直線部５７と６０が、それぞれ通水状態、止水状態でボール押え２７の内側端面２７ｃに当接するようになっている。この内側端面２７ｃは、前述のオネジ２７ａや、ボール押え２７が取付けられる本体３の下側の開口部１１ｂの端面に当接するフランジ３０の当接面３０ｂなどと共に、鋳物で成形したボール押さえ２７に後加工を施して形成される部分であり、寸法精度も良い。従って、この端面２７ｃに回転規制部材５５の回転規制部５７、６０を当接させる構成とすることにより、通水位置及び止水位置に正確に位置決めすることができる。しかも、この端面は従来から加工が施されている部分であり、この部分を利用することにより、回転規制部材５５の回転規制部５７、６０に対応する係止部をわざわざ作るための加工が不要である。勿論、場合によっては本体３或いはボール押え２７に係止部を別途形成しても良い。
【００２３】
以上、逆止弁付きボール止水栓を例にして説明したが、本願発明の範囲はそれに限定されるものではなく、逆止機能を備えていない止水栓、ボール内部の流路が直線に形成されているものに適用することも勿論可能である。いずれに場合においても、止水ボールが所定の回転範囲外へ回転することが防止できるので、水道管理者にとってはきわめて好都合である。
【００２４】
なお上記の例では、特に説明をしなかったが、図に示されているとおり、ハンドルの回転を規制するために従来例で設けていた、スピンドルを挿入する筒部端部の突起及びそれに対応してハンドルに形成する溝をそのまま設けている。これは、本発明がこの従来例に最小限の改変を加えるだけで従来の問題点を解決でき、敢えてこれらの構成を削除する必要がないからである。従って、これらの構成を削除しても本願発明の本質に何等変わりはない。
【図面の簡単な説明】
【００２５】
【図１】従来の逆止弁付きボール止水栓の一例を示す縦断面図である。
【図２】本発明の実施の形態に係る逆止弁付きボール止水栓の通水状態での縦断面図である。
【図３】図２のＡ−Ａ線での断面図である。
【図４】回転規制部材の正面図である。
【図５】図２のＡ−Ａ線での、止水状態での断面図である。
【符号の説明】
【００２６】
１  逆止弁付きボール止水栓
３  本体
７  連通口
９  上側空所
１１  下側空所
１２  スピンドル挿入部
１３  逆止ボール
２３  止水ボール
２４  流路
２５  ボールシート
２７  ボール押え
２７ｃ  内端面
３１  スピンドル
３１ａ  大径部
３１ｂ  連結部
３３  ハンドル
５５  回転規制部材
【図１】
2005061515.tif 000003
【図２】
2005061515.tif 000004
【図３】
2005061515.tif 000005
【図４】
2005061515.tif 000006
【図５】
2005061515.tif 000007